(57)【要約】【課題】  汚れがつきにくく、柔軟性があり、しかも透明性があって中身が見え、さらには抗菌性も備え、静電気も防止する電磁波遮断ネットを用いた妊婦用インナーウエア、あるいはＯＡ作業用インアーウエア、クリーンルーム作業用インナーウエアを提供することを目的とする。【解決手段】  本発明のシールド用インナーウエアは、導電性を有する繊維が、トリコット編みで編目の粗さが１．５ｍｍ以下のメッシュ状に編まれ、編み目の縦横の繊維が互いの動きを拘束することで目の粗さが一定に維持されている電磁波遮断ネットを用い、下着の直ぐ上に着用するインナーウエアとして用いることを特徴とするものである。上記電磁波遮断ネットを用い、妊婦用インナーウエア、あるいはＯＡ作業用やクリーンルーム作業用インナーウエアが実現される。【選択図】図１
2004169265.tif 000002
【特許請求の範囲】
【請求項１】
導電性を有する繊維が、トリコット編みで編目の粗さが１．５ｍｍ以下のメッシュ状に編まれ、編み目の縦横の繊維が互いの動きを拘束することで目の粗さが一定に維持されている電磁波遮断ネットから成り、妊娠中の妊婦が着用することにより体内の胎児に対する有害な電磁波及び静電気を防止することを特徴とする妊婦用インナーウエア。
【請求項２】
導電性を有する繊維が、トリコット編みで編目の粗さが１．５ｍｍ以下のメッシュ状に編まれ、編み目の縦横の繊維が互いの動きを拘束することで目の粗さが一定に維持されている電磁波遮断ネットから成り、作業者が着用することにより電子機器等から発生する有害な電磁波及び静電気を防止することを特徴とするＯＡ作業用インナーウエア。
【請求項３】
導電性を有する繊維が、トリコット編みで編目の粗さが１．５ｍｍ以下のメッシュ状に編まれ、編み目の縦横の繊維が互いの動きを拘束することで目の粗さが一定に維持されている電磁波遮断ネットから成り、作業者が着用することにより静電気を防止することを特徴とするクリーンルーム作業用インナーウエア。
【請求項４】
前記導電性を有する繊維が、２本以上の銀メッキをした単繊維に縒りをかけられた糸を用いて編んだものであることを特徴とする請求項１〜３の内、いずれか１項記載のインナーウエア。
【発明の詳細な説明】
【技術分野】
【０００１】
本発明は、携帯電話やエンジン、モーター等から発生する電磁波ノイズを有効にカットし、妊娠中の胎児に対する有害な電磁波や静電気を防止する妊婦用インナーウエアやＯＡ作業用インナーウエア、静電気を防止するクリーンルーム作業用インナーウエアに関する。
【背景技術】
【０００２】
最近、身の回りの家庭電化製品から発生する高周波電磁波が人体の細胞、又は免疫システムに害を及ぼす危険性が問題視され、その研究が開始されている。
携帯電話以外にもエンジンやモーター、携帯芝刈り機等から発生する高周波ノイズもあり、従来、このような高周波ノイズを有効に防止する手段がなかった。
【０００３】
特に、妊娠中の胎児は急成長しており、遺伝子レベルで有害な電磁波や静電気の影響を受けやすい弱い状態にあるので、上記外部の電磁波を遮断することが望ましい。また、人体が帯電すると静電気により体内の血液の血糖値が下がったり、体内のカルシュームが流出したりして、疲労や情緒不安等をもたらすといわれている。このような帯電静疲労や静電気ショックはいずれにしても妊婦に好ましいものではなく、胎児への影響も考えればなるべく静電気は帯びないことが望ましい。
【０００４】
しかし、従来簡単に着用できて、安価で、軽く、かつ有効に電磁波を遮断し、静電気をも防止する着衣が存在しなかった。
従来このような有害な電磁波を防ぐ製品として、ポリエステルにニッケルをコーティングした生地、金属繊維の生地等を用いたＯＡエプロン、透明な硬質プラスチック性のＶＤＴ（Ｖｉｄｅｏ  Ｄｉｓｐｌａｙ  Ｔｅｒｍｉｎａｌ）フィルタ等が販売されている。しかし、金属繊維の生地は一般に高価であり、透明性に欠け、生地も厚いものが多い。固いプラスチック性のものはウエアに使えない。人体の電磁波シールドウエアとしては、電磁波を遮断すべき面積が広くなるので上記金属繊維の生地を用いると電磁波の遮断に要するコストが高くなる。また、生地は汚れがつきやすく、かつ汚れが目立ち易い欠点がある。上記コストの問題を解決するには、生地をメッシュ状に粗く織って金属繊維の使用量を削減することが考えられるが、織りを粗くした場合、金属繊維が縦横に動くので目くずれを起こし易い。従って、通常のメッシュは電磁波の遮断効果が充分に得られることが実験的にわかっている１．５ｍｍの目の粗さが維持できない欠点がある。
【０００５】
例えば、上記着衣として、特開平９−３１０２０８号公報のものがある。しかし、該公報のものはその記載内容から明らかなように、平織物にニッケル、銅等をコーティングしたものや  繊維に導電性材料をコーティングした織物を用いており、高価な生地の厚いもの、すなわちアウターウエアを意識している。一部メッシュも用いているが、顔を覆うメッシュとしてのみ用いられている。
【０００６】
また、ＯＡ作業用の電磁波防止エプロンも市販されているが、電磁波防止エプロンには、次のような研究発表がなされている。すなわち、青山学院大学の橋本修教授によると、電磁波シールド・エプロンは、身体との距離によっては共振現象が発生して体に大きな影響を与える可能性があるというものである。（シミュレーション実験は、上記距離＝７ｃｍ）
すなわち、エプロンの下に分厚いセーターを着たり、エプロンをぴったりさせずに着たりすると、かえって身体への影響を増加させることになりかねないということである。
【特許文献１】特開平９−３１０２０８号公報
【発明の開示】
【発明が解決しようとする課題】
【０００７】
本発明は、このような問題点を解決するためになされたものであって、導電性を有する繊維が、編目の粗さが１．５ｍｍ以下のメッシュ状に編まれていることにより、トリコット編み機のような一般的な編み機で編むことが可能であって使用する繊維の分量も少なく、従って、着衣用シールド・ウエアのように電磁波を遮断する面積が広い場合でもコストが低く、また編み目の縦横の繊維が互いの動きを拘束することで目の粗さが一定に維持され、さらに編目の交差部分で絡み合った繊維同士の導電により電磁波の反射量・吸収量が大きくなり、電磁波の遮断効果が高い電磁波遮断ネットを用い、インナーウエアとして身体に密着して使用できる、安価で丈夫な医療用シールド・ウエア、妊婦用シールド・ウエアあるいは、ＯＡ作業用、クリーンルーム用の電磁波防止兼静電防止ウエアを提供することを目的とする。
【０００８】
また、本発明は、導電性を有する繊維が縒りをかけられ、メッシュ状に編まれた電磁波遮断ネットを用いることにより、汚れがつきにくい上に汚れても汚れが目立ちにくく、柔軟性があり、しかも透明性があって中身が見え、さらには抗菌性も備え、静電気も防止する電磁波遮断ネットを用いたインナーウエアとして好適な上記シールド・ウエアを提供することを目的とする。
【課題を解決するための手段】
【０００９】
本発明のの妊婦用インナーウエアは、導電性を有する繊維が、トリコット編みで編目の粗さが１．５ｍｍ以下のメッシュ状に編まれ、編み目の縦横の繊維が互いの動きを拘束することで目の粗さが一定に維持されている電磁波遮断ネットから成り、妊娠中の妊婦が身体に密着させて着用することにより体内の胎児に対する有害な電磁波及び静電気を防止することを特徴とするものである。
【００１０】
また、この発明のＯＡ作業者用インナーウエアは、導電性を有する繊維が、トリコット編みで編目の粗さが１．５ｍｍ以下のメッシュ状に編まれ、編み目の縦横の繊維が互いの動きを拘束することで目の粗さが一定に維持されている電磁波遮断ネットから成り、作業者が着用することにより電子機器等から発生する有害な電磁波及び静電気を防止することを特徴とするものである。
【００１１】
また、この発明のクリーンルーム作業用着衣は、導電性を有する繊維が、トリコット編みで編目の粗さが１．５ｍｍ以下のメッシュ状に編まれ、編み目の縦横の繊維が互いの動きを拘束することで目の粗さが一定に維持されている電磁波遮断ネットから成り、作業者が着用することにより静電気を防止することを特徴とするものである。
【００１２】
さらに、上記インナーウエアまたは着衣は、前記導電性を有する繊維が、２本以上の銀メッキをした単繊維に縒りをかけられた糸を用いて編んだものであることを特徴とするものである。
【００１３】
上記電磁波遮断ネットは、トリコット編み機のような一般的な編み機で編むことが可能であって使用する繊維の分量も少なく、上記インナーウエアのように電磁波を遮断する面積が広い場合でもコストが低い。また編み目の縦横の繊維が互いの動きを拘束することで目の粗さが一定に維持されるので、形が崩れることがなく、洗濯することも可能である。さらに編目の交差部分で絡み合った繊維同士の導電により電磁波の反射量・吸収量が大きくなり、電磁波の遮断効果が高い。
【００１４】
さらには、身体に自然に帯電する静電気を逃がす作用があり、帯電による様々な身体への影響を防止することができる。また、上記繊維は、銀メッキした単繊維を用いているので「抗菌性」が高く、インナーウエアとして身体に密着して用いる場合に、雑菌を殺し、清潔性が保たれるので、特に病人や妊婦等が着用するのに好適である。また、前記導電性を有する繊維が、２本以上の銀メッキをした単繊維に縒りをかけられた糸を用いて編んだものであるので、糸がコイル状になって表面積が増加し、これによって電磁波の反射量・吸収量が増加し、電磁波の遮断効果が高い。
【発明の効果】
【００１５】
以上のように、本発明の電磁波シールド・インナーウエアは、携帯電話やパーソナルコンピュータ、各種電源から発生する人体に有害な電波、マイクロ波（極超短波）等の電磁波を遮断し、かつ静電気を有効に防止する。しかも、電磁波遮断用素材として、導電性を有する繊維がメッシュ状に編まれているので、トリコット編み機のような一般的な編み機で編むことが可能であって使用する繊維の分量も少なく、電磁波を遮断する面積が広い場合でもコストが低いという特徴がある。また、上記電磁波遮断ネットは、編み目の縦横の繊維が互いの動きを拘束することで目の粗さを一定に維持し、ほつれ難く、引っ張りにも強く、さらに編目の交差部分で絡み合った繊維同士の導電により電磁波の反射量・吸収量が大きくなり、電磁波の遮断効果が高いという優れた効果を奏する。また、上記インナーウエアは、柔軟性を有し、静電気防止効果や抗菌効果も有する。従って、フィット性に優れ、ほこりが付きにくく、簡単に着用できる安価なシールドウエアである。
【００１６】
本発明のＯＡ作業用のインナーウエアやクリーンルーム作業用のインナーウエアは、上記電磁波遮断ネットを用いているので、軽く、透明であり、コス
トが安く、静電気防止効果や抗菌効果があり、柔軟性に富み、しかも汚れにくいものである。特に病院等の外部電磁波に影響されやすく、しかも誤動作が重大な結果を生む医療用や妊婦用のシールドウエアとして用いた場合は優れた効果を発揮する。
【００１７】
また、下着の上に着用するインナーウエアであるので、その上にブラウスなどを着用でき、外観がシールド着衣を意識しないばかりか、軽く、通気性もよいので夏でも冬でも簡単に着用できるシールドウエアである。
【発明を実施するための最良の形態】
【００１８】
図３は本発明の電磁波シールド・インナーウエアに用いられる電磁波遮断ネット（ＭＧネット）の拡大図である。
この電磁波遮断ネット１は、金属繊維（銀、銅、ニッケル等）、カーボン繊維等の導電性を有するミクロンオーダーの、電磁波遮断材となるべき繊維糸と、基材となるべきポリエステルのような合成繊維糸とを縒り合わせた導電性を有する縒り糸、あるいは、２本以上の銀メッキをした単繊維に縒りをかけられた縒り糸を用い、例えばトリコット編み機のような一般的な編み機によって編まれたものであって、編目の粗さは、充分な電磁波遮断効果が得られることが実験的にわかっている１．５ｍｍ以下の粗さである。トリコット編みでネットを作ると、図３のように一つの升目がそれぞれ六角形となる向こうが透けて見えるネットが作れる。該ネットは、編み目の縦横の繊維が互いの動きを拘束することで目の粗さが一定に維持されていて、目崩れを起こすことがない。極端な例では、部分的に切れてもネットの形状はそのまま維持されて、ほぐれることがない。例えば、図４に示すメリヤス編みの場合は、図から明らかなように１箇所切れるとその近辺が直ぐほぐれ始め、また目崩れを起こし易い。
【００１９】
また、上記ネットは一般的なトリコット編み機で作れるので、該ネットの製造コストは非常に低い。さらに、向こうが透けて見える程度のネットであるので、高価な金属繊維糸の使用量が布状のものに較べればはるかに少ない。すなわち、上記ネットは、製造コストと素材の使用量の両点から、電磁波遮断材として従来の電磁波遮断材（布等）に較べれば非常に安価に作れるという優れた特徴がある。
【００２０】
上記電磁波遮断ネット（ＭＧネット）の電磁波遮断率の測定結果を図５，図６に示す。該測定は、表１の条件でネットを介して両側に送受信アンテナを置いて透過減衰率を測定することにより行われた。
【００２１】
【表１】
2004169265.tif 000003
【００２２】
上記電磁波遮断ネットは、低周波帯域（５０ＭＨz〜１．４ＧＨｚ）では、電磁波を約９７％減衰させ、高周波帯域（７ＧＨｚ〜１３ＧＨz）では、約９０％減衰させている。この発明の電磁波シールド・インナーウエアを着用すれば、携帯電話その他の外部電子機器等から発生する電磁波の身体への影響を軽減できるので身体への電磁波の悪影響を防ぐことができる。
【００２３】
上記ネットの第２の利点は、導電性がある（表面電気比抵抗値０．０５オーム／ｓｑ．以下）ので、静電気を逃がす作用（帯電防止効果）があることである。この帯電防止効果により帯電性疲労や静電気ショックを防止することができる。
【００２４】
また、半導体製造装置のクリーンルーム内等においては、埃を非常に嫌うが、
クリーンルーム内への埃の混入要因の最大のものは入室する作業者そのものであって、特に作業者の着衣が帯電することにより付着した埃はエアシャワーでは取りきれず、これが半導体ウエアファー等に付着して歩留まりを悪くすることが多かった。この発明のクリーンルーム用着衣は、帯電防止効果があるのでクリーンルーム内で用いる着衣や帽子として好適である。
【００２５】
この帯電防止効果は、ＯＡウエアとして用いる場合にも良好な効果がある。すなわち、コンピューターにおいてメモリは静電気に弱く、静電気によってメモリの内容が壊れたり、極端な場合メモリそのものが破壊されてしまうことがあることが知られている。人間の手から静電気がコンピューターメモリに入るならば、メモリの内容が変わりバグを起こしてしまうことは容易に想像できる。この発明のＯＡウエアを着用すると、身体に帯電した静電気を簡単にアースに逃がすことができるので、静電気が人を介してメモリ等に入ってしまう誤動作を防止できるのである。また、帯電に伴うほこりやタバコの煙等の吸着が妨げられ、ほこりによる機器の機能低下の防止や掃除の手間が省けることにもなる。
【００２６】
上記ネットの第３の利点は、ネットの素材が「銀メッキをした単繊維に縒りをかけられた縒り糸」（銀の合金をポリエステル繊維にコーティングしている）といったように、表面に金属部分が浮き出ている点にある。金属に殺菌力があるのはよく知られている。従って、上記ネットの表面は例えば銀メッキであれば、銀のもつ殺菌効果でいつも清潔に保たれている。また、銀メッキをした縒り糸を用いた場合は、銀が錆びにくいのでネット自体も変色・変質しにくいという特徴がある。このことは、特に医療用や妊婦用に用いた場合の特筆すべき副次的効果となる。
【００２７】
上記ネットの第４の利点は、インナーウエアを作る素材として、ネットは柔軟性があり、好きな形状に加工でき、また好きな形に裁断できる点である。同時に軽くて透明であり、かつネット故に通気性があり、この発明のインナーウエアは、夏着用しても内部に熱が籠もることがない。また、通気性が良好であるので、通常の下着の上にインナーウエアとして着用しても、汗がこもることもなく快適である。また、軽いということは、着用の負担を減らし、気楽に着用できる。しかも、コストが易いので、安易に使用することができる。従来の分厚い布状のシールド素材は重く、高価であると同時に着用負担があり、下着の直ぐ上に着用するには適さない。上記柔軟性の故にフィット性もよいという特徴もある。前記したように、肌との空間に隙間があると、共振現象を起こしてかえって電磁波の悪影響が増してしまうことがあるが、この発明のインナーウエアは、上記のように肌に密着した状態で着用されるので上記のような問題は生じない。この発明のインナーウエアは、簡単に装着できると共に取り外しも容易であり、脱着も容易である。また、トリコット編みなのでほつれ難く、引っ張っても編み目が崩れることがないので、着衣として丈夫である。
【００２８】
以上のような本発明の電磁波遮断ネット及び電磁波遮断材は、１．５ｍｍ以下の目の粗さの電磁波遮断ネット２が電磁波を反射し、又は吸収して熱エネルギーに変換する機能を有し、５０ＭＨｚ以上のマイクロ波を９０％以上遮断する。しかし、１．５ｍｍ以上の粗さではシールド効果が目の大きさに比例して減少する。
【００２９】
図１に前記妊婦用インナーウエア（マタニティウエア）の例を、図２にオフィスのＯＡ作業者用やクリーンルーム用のインナーウエアの例を示す。
図１，図２において、開口部の部分は伸びる素材を用いてパイピング処理がなされている。実際のインナーウエアは、図示されないが肩パットを裏地として入れネットが直接肌に触れてもちくちくしないように工夫がなされている。
【００３０】
上記インナーウエアは、高周波電磁波を遮断し、静電気防止作用による静電気ショックを防止すると共に帯電性疲労を防止し、優れた抗菌、防臭効果をも合わせ有する超軽量のシールド素材である。また、優れた熱伝導性、通気性を有し、夏涼しく冬暖かい。さらに、１００回以上洗濯しても９０％以上の機能を維持するという優れた洗濯耐久性も併せ有する。
【００３１】
表２は、本発明のインナーウエアと他のシールド商品を表にまとめたものである。表中「（ａ）ＯＡガード」が本発明の電磁波シールド・インナーウエアであり、（ｂ）〜（ｅ）が従来品である。この表から、「ＯＡガード」がほとんどの項目で優れているのがよく分かる。
【００３２】
【表２】
2004169265.tif 000004
【００３３】
また、表３には、上記表２の各種シールド着衣に用いられている電磁波シールド素材と本発明に用いられている電磁波遮断ネット（ＭＧネット）の特性の比較表を記載している。表３を見ても、いかに上記電磁波遮断ネット（ＭＧネット）の特性が優れているかよく分かる。
【００３４】
【表３】
2004169265.tif 000005
【図面の簡単な説明】
【００３５】
【図１】本発明の妊婦用インナーウエア（マタニティウエア）を着用したときの図である。
【図２】本発明のオフィスのＯＡ作業者用やクリーンルーム用のインナーウエアを着用したときの図である。
【図３】本発明のインナーウエアに用いる電磁波遮断ネットの拡大図である。
【図４】メリヤス編みの拡大図である。
【図５】本発明に用いられる電磁波遮断ネットの電磁波遮断率の測定結果を示す図である。
【図６】本発明に用いられる電磁波遮断ネットの電磁波遮断率の測定結果を示す図である。
【符号の説明】
【００３６】
１  電磁波遮断ネット
３  妊婦用シールド・インナーウエア
４  ＯＡ作業用またはクリーンルーム用シールド・インナーウエア
【図１】
2004169265.tif 000006
【図２】
2004169265.tif 000007
【図３】
2004169265.tif 000008
【図４】
2004169265.tif 000009
【図５】
2004169265.tif 000010
【図６】
2004169265.tif 000011